(57)【要約】【課題】  本発明の目的は、装置が行う各種動作の状況を確実に把握することができる情報表示装置および情報表示プログラムを提供することである。【解決手段】  本発明の情報表示装置（１６〜２５）は、連続する画像から特定のオブジェクトを認識する認識手段（２０）と、認識手段によって認識された特定のオブジェクトに対して、その特定のオブジェクトが認識されたことをユーザーに把握させるための情報を重畳する重畳手段（２０）と、重畳手段によって前記情報が重畳された特定のオブジェクトを含む前記画像を表示する表示手段（１９，１８，２０）とを備えた情報表示装置であって、重畳手段は、特定のオブジェクトに対して、検出枠とオブジェクト情報とを重畳する。なお、重畳手段が重畳するオブジェクト情報の少なくとも１つは、特定のオブジェクトの名前または名称である。【選択図】  図１
2010183253.tif 000002
【特許請求の範囲】
【請求項１】
連続する画像から特定のオブジェクトを認識する認識手段と、
前記認識手段によって認識された特定のオブジェクトに対して、その特定のオブジェクトが認識されたことをユーザーに把握させるための情報を重畳する重畳手段と、
前記重畳手段によって前記情報が重畳された前記特定のオブジェクトを含む前記画像を表示する表示手段と
を備えた情報表示装置であって、
前記重畳手段は、前記特定のオブジェクトに対して、検出枠とオブジェクト情報とを重畳し、
前記重畳手段が重畳する前記オブジェクト情報の少なくとも１つは、前記特定のオブジェクトの名前または名称である
ことを特徴とする情報表示装置。
【請求項２】
連続する画像から特定のオブジェクトを認識する認識手段と、
前記認識手段によって認識された特定のオブジェクトに対して、その特定のオブジェクトが認識されたことをユーザーに把握させるための情報を重畳する重畳手段と、
前記重畳手段によって前記情報が重畳された前記特定のオブジェクトを含む前記画像を表示する表示手段と
を備えた情報表示装置であって、
前記重畳手段は、前記特定のオブジェクトに対して、追尾情報を重畳し、
前記重畳手段が重畳する前記追尾情報は、追尾枠と追尾ラベルである
ことを特徴とする情報表示装置。
【請求項３】
請求項２に記載の情報表示装置において、
前記画像から追尾対象とすべきオブジェクトをユーザーに指定させる指定手段を更に備え、
前記認識手段は、前記指定手段を介してユーザーが指定した前記追尾対象とすべきオブジェクトを前記特定のオブジェクトとして認識する
ことを特徴とする情報表示装置。
【請求項４】
請求項１ないし請求項３の何れか一項に記載の情報表示装置において、
前記重畳手段は、前記認識手段によって前記特定のオブジェクトが複数認識された場合には、認識された複数の前記特定のオブジェクトに対して、形状が異なる前記検出枠または前記追尾枠をそれぞれ個別に重畳する
ことを特徴とする情報表示装置。
【請求項５】
請求項１ないし請求項４の何れか一項に記載の情報表示装置において、
前記重畳手段は、前記認識手段によって前記特定のオブジェクトが複数認識された場合には、認識された複数の前記特定のオブジェクトに対して、前記オブジェクト情報または前記追尾情報をそれぞれ個別に重畳する
ことを特徴とする情報表示装置。
【請求項６】
請求項１ないし請求項５の何れか一項に記載の情報表示装置において、
前記特定のオブジェクトが前記画像の画枠内で移動した場合には、その移動に追従して前記特定のオブジェクトに重畳された情報も移動する
ことを特徴とする情報表示装置。
【請求項７】
請求項１ないし請求項６の何れか一項に記載の情報表示装置において、
前記表示手段は、前記特定のオブジェクトが前記画像の画枠から外れた場合には、前記画枠から外れたことを示す情報を前記画像と共に表示する
ことを特徴とする情報表示装置。
【請求項８】
連続する画像を解析すると共に、その解析結果に基づき前記画像に対して行うべき画像処理の内容を決定する制御手段と、
前記制御手段によって決定された内容の画像処理を前記画像に対して施す画像処理手段と、
前記画像処理手段による前記画像処理後の前記画像と共に、前記画像処理の内容をユーザーに把握させるための画像処理情報を表示する表示手段と
を備えた情報表示装置であって、
前記表示手段は、前記画像処理情報として、前記画像処理の内容を示す文字列、ロゴマーク、イラスト、アイコンのうちの少なくとも１つを、前記画像処理後の前記画像と共に表示する
ことを特徴とする情報表示装置。
【請求項９】
連続する画像から特定のオブジェクトを認識する認識ステップと、
前記認識ステップによって認識された特定のオブジェクトに対して、その特定のオブジェクトが認識されたことをユーザーに把握させるための情報を重畳する重畳ステップと、
前記重畳ステップによって前記情報が重畳された前記特定のオブジェクトを含む前記画像を表示する表示ステップと
をコンピュータに実行させることを特徴とする情報表示プログラムであって、
前記重畳ステップでは、前記特定のオブジェクトに対して、検出枠とオブジェクト情報とを重畳し、
前記重畳ステップによって重畳される前記オブジェクト情報の少なくとも１つは、前記特定のオブジェクトの名前または名称である
ことを特徴とする情報表示プログラム。
【請求項１０】
連続する画像から特定のオブジェクトを認識する認識ステップと、
前記認識ステップによって認識された特定のオブジェクトに対して、その特定のオブジェクトが認識されたことをユーザーに把握させるための情報を重畳する重畳ステップと、
前記重畳ステップによって前記情報が重畳された前記特定のオブジェクトを含む前記画像を表示する表示ステップと
をコンピュータに実行させることを特徴とする情報表示プログラムであって、
前記重畳ステップでは、前記特定のオブジェクトに対して、追尾情報を重畳し、
前記重畳ステップによって重畳される前記追尾情報は、追尾枠と追尾ラベルである
ことを特徴とする情報表示プログラム。
【請求項１１】
請求項１０に記載の情報表示プログラムにおいて、
前記画像から追尾対象とすべきオブジェクトをユーザーに指定させる指定ステップを更にコンピュータに実行させ、
前記認識ステップでは、前記指定ステップでユーザーが指定した前記追尾対象とすべきオブジェクトを前記特定のオブジェクトとして認識する
ことを特徴とする情報表示プログラム。
【請求項１２】
請求項９ないし請求項１１の何れか一項に記載の情報表示プログラムにおいて、
前記重畳ステップでは、前記認識ステップによって前記特定のオブジェクトが複数認識された場合には、認識された複数の前記特定のオブジェクトに対して、形状が異なる前記検出枠または前記追尾枠をそれぞれ個別に重畳する
ことを特徴とする情報表示プログラム。
【請求項１３】
請求項９ないし請求項１２の何れか一項に記載の情報表示プログラムにおいて、
前記重畳ステップでは、前記認識ステップによって前記特定のオブジェクトが複数認識された場合には、認識された複数の前記特定のオブジェクトに対して、前記オブジェクト情報または前記追尾情報をそれぞれ個別に重畳する
ことを特徴とする情報表示プログラム。
【請求項１４】
請求項９ないし請求項１３の何れか一項に記載の情報表示プログラムにおいて、
前記特定のオブジェクトが前記画像の画枠内で移動した場合には、その移動に追従して前記特定のオブジェクトに重畳された情報も移動する
ことを特徴とする情報表示プログラム。
【請求項１５】
請求項９ないし請求項１４の何れか一項に記載の情報表示プログラムにおいて、
前記表示ステップでは、前記特定のオブジェクトが前記画像の画枠から外れた場合には、前記画枠から外れたことを示す情報を前記画像と共に表示する
ことを特徴とする情報表示プログラム。
【請求項１６】
連続する画像を解析すると共に、その解析結果に基づき前記画像に対して行うべき画像処理の内容を決定する制御ステップと、
前記制御ステップによって決定された内容の画像処理を前記画像に対して施す画像処理ステップと、
前記画像処理ステップによる前記画像処理後の前記画像と共に、前記画像処理の内容をユーザーに把握させるための画像処理情報を表示する表示ステップと
をコンピュータに実行させることを特徴とする情報表示プログラムであって、
前記表示ステップでは、前記画像処理情報として、前記画像処理の内容を示す文字列、ロゴマーク、イラスト、アイコンのうちの少なくとも１つを、前記画像処理後の前記画像と共に表示する
ことを特徴とする情報表示プログラム。
【発明の詳細な説明】
【技術分野】
【０００１】
本発明は、情報表示装置および情報表示プログラムに関し、特に、装置が行う各種動作の状況を確実に把握することができるようにした情報表示装置および情報表示プログラムに関する。
【背景技術】
【０００２】
近年、デジタルカメラやビデオカメラが広く普及している。これら従来の装置では、装置が行う各種動作について、その状況を撮影者等のユーザーに把握させるために、動作の状況を示す情報をＬＣＤモニタの画面などに表示するものが一般的となっている。
【０００３】
例えば、特許文献１で開示される撮像装置では、その被写体認識動作により、撮影された画像から特定の被写体が認識された場合に、その認識されたことを示す四角形などの形状をした枠を、画像中の被写体に対して重畳させて画面に表示している。
【０００４】
つまり、従来のこの装置では、被写体にその枠が重畳された画像を表示することで、画像から特定の被写体が認識されたという被写体認識動作の状況をユーザーに把握させるようにしている。
【先行技術文献】
【特許文献】
【０００５】
【特許文献１】特開２００８−９８７５５号公報
【発明の概要】
【発明が解決しようとする課題】
【０００６】
しかしながら、従来の装置では、例えば、画像から特定の被写体が複数認識される場合には、いずれの被写体にも同じように枠が重畳されて表示される。そのため、予め定められた特定の被写体のうちのどの被写体が認識されたのか、つまり、装置が何を認識したのかという被写体認識動作の状況を、画面の表示内容から把握することは難しかった。
【０００７】
また、従来の装置では、例えば、画像中の被写体に対して逆光補正などの画像処理が自動的に実行された場合にも、その画像処理の内容については表示が行われないので、逆光補正などのため行われる画像処理動作の状況を画面の表示内容から把握することは難しかった。
【０００８】
本発明は、上記従来技術の課題を解決するためのものである。本発明の目的は、装置が行う各種動作の状況を確実に把握することができる情報表示装置および情報表示プログラムを提供することである。
【課題を解決するための手段】
【０００９】
第１の発明の情報表示装置は、連続する画像から特定のオブジェクトを認識する認識手段と、認識手段によって認識された特定のオブジェクトに対して、その特定のオブジェクトが認識されたことをユーザーに把握させるための情報を重畳する重畳手段と、重畳手段によって前記情報が重畳された特定のオブジェクトを含む前記画像を表示する表示手段とを備えた情報表示装置であって、重畳手段は、特定のオブジェクトに対して、検出枠とオブジェクト情報とを重畳する。なお、重畳手段が重畳するオブジェクト情報の少なくとも１つは、特定のオブジェクトの名前または名称である。
【００１０】
第２の発明の情報表示装置は、連続する画像から特定のオブジェクトを認識する認識手段と、認識手段によって認識された特定のオブジェクトに対して、その特定のオブジェクトが認識されたことをユーザーに把握させるための情報を重畳する重畳手段と、重畳手段によって前記情報が重畳された特定のオブジェクトを含む前記画像を表示する表示手段とを備えた情報表示装置であって、重畳手段は、特定のオブジェクトに対して、追尾情報を重畳する。なお、重畳手段が重畳する追尾情報は、追尾枠と追尾ラベルである。
【００１１】
第３の発明は、第２の発明において、前記画像から追尾対象とすべきオブジェクトをユーザーに指定させる指定手段を更に備え、認識手段は、その指定手段を介してユーザーが指定した追尾対象とすべきオブジェクトを特定のオブジェクトとして認識する。
【００１２】
第４の発明は、第１ないし第３の発明の何れか一の発明において、重畳手段は、認識手段によって特定のオブジェクトが複数認識された場合には、認識された複数の特定のオブジェクトに対して、形状が異なる検出枠または追尾枠をそれぞれ個別に重畳する。
【００１３】
第５の発明は、第１ないし第４の発明の何れか一の発明において、重畳手段は、認識手段によって特定のオブジェクトが複数認識された場合には、認識された複数の特定のオブジェクトに対して、オブジェクト情報または追尾情報をそれぞれ個別に重畳する。
【００１４】
第６の発明は、第１ないし第５の発明の何れか一の発明において、特定のオブジェクトが前記画像の画枠内で移動した場合には、その移動に追従して特定のオブジェクトに重畳された情報も移動する。
【００１５】
第７の発明は、第１ないし第６の発明の何れか一の発明において、表示手段は、特定のオブジェクトが前記画像の画枠から外れた場合には、前記画枠から外れたことを示す情報を前記画像と共に表示する。
【００１６】
第８の発明の情報表示装置は、連続する画像を解析すると共に、その解析結果に基づき前記画像に対して行うべき画像処理の内容を決定する制御手段と、制御手段によって決定された内容の画像処理を前記画像に対して施す画像処理手段と、画像処理手段による画像処理後の前記画像と共に、その画像処理の内容をユーザーに把握させるための画像処理情報を表示する表示手段とを備えた情報表示装置であって、表示手段は、画像処理情報として、画像処理の内容を示す文字列、ロゴマーク、イラスト、アイコンのうちの少なくとも１つを、画像処理後の前記画像と共に表示する。
【００１７】
第９の発明の情報表示プログラムは、連続する画像から特定のオブジェクトを認識する認識ステップと、認識ステップによって認識された特定のオブジェクトに対して、その特定のオブジェクトが認識されたことをユーザーに把握させるための情報を重畳する重畳ステップと、重畳ステップによって前記情報が重畳された特定のオブジェクトを含む前記画像を表示する表示ステップとをコンピュータに実行させる情報表示プログラムであって、重畳ステップでは、特定のオブジェクトに対して、検出枠とオブジェクト情報とを重畳する。なお、重畳ステップによって重畳されるオブジェクト情報の少なくとも１つは、特定のオブジェクトの名前または名称である。
【００１８】
第１０の発明の情報表示プログラムは、連続する画像から特定のオブジェクトを認識する認識ステップと、認識ステップによって認識された特定のオブジェクトに対して、その特定のオブジェクトが認識されたことをユーザーに把握させるための情報を重畳する重畳ステップと、重畳ステップによって前記情報が重畳された特定のオブジェクトを含む前記画像を表示する表示ステップとをコンピュータに実行させる情報表示プログラムであって、重畳ステップでは、特定のオブジェクトに対して、追尾情報を重畳する。なお、重畳ステップによって重畳される追尾情報は、追尾枠と追尾ラベルである。
【００１９】
第１１の発明は、第１０の発明において、前記画像から追尾対象とすべきオブジェクトをユーザーに指定させる指定ステップを更にコンピュータに実行させ、認識ステップでは、その指定ステップでユーザーが指定した追尾対象とすべきオブジェクトを特定のオブジェクトとして認識する。
【００２０】
第１２の発明は、第９ないし第１１の発明の何れか一の発明において、重畳ステップでは、認識ステップによって特定のオブジェクトが複数認識された場合には、認識された複数の特定のオブジェクトに対して、形状が異なる検出枠または追尾枠をそれぞれ個別に重畳する。
【００２１】
第１３の発明は、第９ないし第１２の発明の何れか一の発明において、重畳ステップでは、認識ステップによって特定のオブジェクトが複数認識された場合には、認識された複数の特定のオブジェクトに対して、オブジェクト情報または追尾情報をそれぞれ個別に重畳する。
【００２２】
第１４の発明は、第９ないし第１３の発明の何れか一の発明において、特定のオブジェクトが前記画像の画枠内で移動した場合には、その移動に追従して特定のオブジェクトに重畳された情報も移動する。
【００２３】
第１５の発明は、第９ないし第１４の発明の何れか一の発明において、表示ステップでは、特定のオブジェクトが前記画像の画枠から外れた場合には、前記画枠から外れたことを示す情報を前記画像と共に表示する。
【００２４】
第１６の発明の情報表示プログラムは、連続する画像を解析すると共に、その解析結果に基づき前記画像に対して行うべき画像処理の内容を決定する制御ステップと、制御ステップによって決定された内容の画像処理を前記画像に対して施す画像処理ステップと、画像処理ステップによる画像処理後の前記画像と共に、その画像処理の内容をユーザーに把握させるための画像処理情報を表示する表示ステップとをコンピュータに実行させる情報表示プログラムであって、表示ステップでは、画像処理情報として、画像処理の内容を示す文字列、ロゴマーク、イラスト、アイコンのうちの少なくとも１つを、画像処理後の前記画像と共に表示する。
【発明の効果】
【００２５】
本発明では、連続する画像から特定のオブジェクトを認識し、認識した特定のオブジェクトに対して、ユーザーに特定のオブジェクトが認識されたことを把握させるための情報、即ち、オブジェクト情報や追尾情報を重畳し、そして、その重畳後の画像を表示する。なお、オブジェクト情報の少なくとも１つは、検出枠と一緒に画面に表示される、特定のオブジェクトの名前または名称である。また、記追尾情報は、追尾枠と追尾ラベルである。
【００２６】
また、本発明では、連続する画像を解析し、その解析結果に基づき画像に対して行うべき画像処理の内容を決定すると共に、決定された内容の画像処理を当該画像に対して実行する。そして、その画像処理が行われたことをユーザーに把握させるため情報、即ち、画像処理情報を、画像処理後の画像と共に表示する。なお、画像処理情報は、画像処理の内容を示す文字列、ロゴマーク、イラスト、アイコンのうちの少なくとも１つである。
【００２７】
このように、本発明では、装置が行う各種動作の中で、その動作の状況を示す情報、即ち、オブジェクト情報や追尾情報、また画像処理情報が画面に表示される。
【００２８】
従って、本発明を利用すれば、装置が行う各種動作の状況を確実に把握することができる。
【図面の簡単な説明】
【００２９】
【図１】第１実施形態のデジタルカメラの構成を示すブロック図である。
【図２】デジタルカメラの情報表示（被写体情報表示）の動作を示す流れ図である。
【図３】被写体情報の表示イメージを示す図である。
【図４】ライブビュー表示での被写体情報の表示イメージを示す図である。
【図５】認識できない被写体に対し被写体情報を入力する方法を説明する図である。
【図６】デジタルカメラの情報表示（画像処理情報表示）の動作を示す流れ図である。
【図７】ライブビュー表示での画像処理情報の表示イメージを示す第１の図である。
【図８】ライブビュー表示での画像処理情報の表示イメージを示す第２の図である。
【図９】デジタルカメラの情報表示（追尾情報表示）の動作を示す流れ図である。
【図１０】追尾情報の表示イメージを示す図である。
【図１１】ライブビュー表示での追尾情報の表示イメージを示す図である。
【発明を実施するための形態】
【００３０】
（第１実施形態）
以下、本発明の第１実施形態を説明する。第１実施形態は、デジタルカメラの実施形態である。
【００３１】
図１は、第１実施形態のデジタルカメラの構成を示すブロック図である。
【００３２】
デジタルカメラは、撮像レンズ１１およびレンズ駆動部１２と、撮像素子１３と、アナログ信号処理部１４と、タイミングジェネレータ（ＴＧ）１５と、バッファメモリ１６と、画像処理部１７と、表示制御部１８と、表示部１９と、制御部２０と、圧縮／復号部２１と、記録インターフェース（記録Ｉ／Ｆ）２２と、記録媒体２３と、操作部２４と、バス２５とを有している。ここで、バッファメモリ１６、画像処理部１７、表示制御部１８、制御部２０、圧縮／復号部２１、記録Ｉ／Ｆ２２は、バス２５を介して接続されている。また、レンズ駆動部１２、アナログ信号処理部１４、ＴＧ１５、操作部２４は、それぞれ制御部２０に接続されている。
【００３３】
撮像レンズ１１は、フォーカスレンズやズームレンズを含む複数のレンズ群で構成されている。なお、簡単のため、図１では撮像レンズ１１を１枚のレンズとして図示している。
【００３４】
レンズ駆動部１２は、制御部２０の指示に応じてレンズ駆動信号を発生し、撮像レンズ１１を光軸方向に移動させてフォーカス調整やズーム調整を行うと共に、撮像レンズ１１を通過した光束による被写体像を撮像素子１３の受光面に形成する。
【００３５】
撮像素子１３は、動画像や連写画像の撮影が可能な撮像素子であり、例えば、ＣＣＤ型撮像素子、あるいはＣＭＯＳ型撮像素子などによって構成される。なお、撮像素子１３は、勿論、１フレーム毎の静止画像の撮影も可能である。
【００３６】
撮像素子１３は、撮像レンズ１１の像空間側に配置され、その受光面に形成された被写体像を光電変換してアナログ画像信号を生成する。この撮像素子１３の出力はアナログ信号処理部１４に接続されている。
【００３７】
アナログ信号処理部１４は、制御部２０の指示に応じて、撮像素子１３から出力されたアナログ画像信号に対し、ＣＤＳ（相関二重サンプリング）、ゲイン調整、Ａ／Ｄ変換などのアナログ信号処理を施すと共に、その処理後の画像信号を出力する。なお、アナログ信号処理部１４の出力はバッファメモリ１６に接続されている。
【００３８】
また、アナログ信号処理部１４は、制御部２０の指示に基づいてゲイン調整の調整量を設定し、それによってＩＳＯ感度に相当する撮影感度の調整を行う。
【００３９】
ＴＧ１５は、制御部２０の指示に基づき撮像素子１３およびアナログ信号処理部１４に対してタイミングパルスを供給する。撮像素子１３およびアナログ信号処理部１４の駆動タイミングはそのタイミングパルスによって制御される。
【００４０】
バッファメモリ１６は、アナログ信号処理部１４から出力される画像信号を画像データとして一時的に記憶する。また、バッファメモリ１６は、制御部２０により記録媒体２３から読み出された画像データや、制御部２０による処理の過程で作成された画像データを一時的に記憶する。
【００４１】
画像処理部１７は、制御部２０の指示に応じて、バッファメモリ１６の画像データに対し、ホワイトバランス調整、補間、輪郭強調、ガンマ補正、解像度変換（画素数変換）などの画像処理を施す。なお、解像度変換（画素数変換）は、表示部１９に画像データを表示させる場合などに必要な処理である。画像処理部１７は、ＡＳＩＣなどとして構成される。
【００４２】
表示制御部１８は、制御部２０の指示に応じて、画像処理後の画像データに所定の信号処理（例えば、ＮＴＳＣ方式の複合映像信号に変換するための信号処理）を施して表示部１９へ出力する。この出力により、画像データが表示部１９に表示される。なお、表示部１９は、デジタルカメラ筐体の背面などに設けられたＬＣＤモニタや、接眼部を備えた電子ファインダなどである。
【００４３】
圧縮／復号部２１は、制御部２０の指示に応じて、バッファメモリ１６の画像データに圧縮処理又は復号処理を施す。なお、圧縮処理及び復号処理は、静止画撮影時にはＪＰＥＧ（Joint Photographic Experts Group）形式などによって行われ、動画撮影時にはＭＰＥＧ（Moving Picture Experts Group）形式などによって行われる。
【００４４】
また、圧縮／復号部２１は、可逆圧縮（いわゆるロスレス符号化）を行うことも可能な構成となっている。
【００４５】
記録Ｉ／Ｆ２２には、記録媒体２３を接続するためのコネクタが形成されている。記録Ｉ／Ｆ２２は、そのコネクタに接続された記録媒体２３にアクセスして、各種データの書き込みや読み出しを行う。制御部２０は、撮影時には、この記録Ｉ／Ｆ２２を介して、バッファメモリ１６の圧縮処理後の画像データを記録媒体２３へ記録する。但し、デジタルカメラが非圧縮記録モードに設定された場合には、制御部２０は、バッファメモリ１６の画像処理後の画像データを、圧縮処理を施さずに非圧縮のまま記録媒体２３へ記録する。また、制御部２０は、画像再生時には、記録Ｉ／Ｆ２２を介して、その記録された画像データを記録媒体２３から読み出してバッファメモリ１６へ記録する。なお、記録媒体２３は、半導体メモリを内蔵したメモリカードや、小型のハードディスクなどである。
【００４６】
操作部２４は、レリーズボタン（シャッターボタン）、モード設定ボタン、メニューボタン、画像再生ボタン等の各種の操作部材を含み、撮影者などのユーザーによる部材操作の内容に応じた操作信号を制御部２０に送る。
【００４７】
制御部２０は、ユーザーによる操作部材の操作内容に応じてデジタルカメラの各部を統括制御する。
【００４８】
例えば、モード設定ボタン等の操作によりデジタルカメラが静止画撮影モードに設定されると、制御部２０は、レンズ駆動部１２、アナログ信号処理部１４およびＴＧ１５を駆動してスルー画像の撮影を開始する。このとき、撮像素子１３はドラフトモード（間引き読み出しモード）で駆動され、スルー画像の画像データがアナログ信号処理部１４を介してバッファメモリ１６へ順次記録される。制御部２０は、そのスルー画像の画像データを基に、レンズ駆動部１２と協働して撮像レンズ１１の焦点調節制御（ＡＦ）を行う。また、制御部２０は、不図示の測光部を駆動して、バッファメモリ１６のスルー画像の画像データを基に撮影シーンの評価値を算出させると、その評価値に基づきアナログ信号処理部１４などの設定内容を調整する。また、制御部２０は、画像処理部１７を駆動してバッファメモリ１６のスルー画像の画像データに画像処理を施した後、表示制御部１８を駆動して画像処理後のスルー画像の画像データを表示部１９に順次表示させる（ライブビュー表示）。
【００４９】
次に、静止画撮影モードで動作中にレリーズボタンが半押しされると、制御部２０は、本撮影に先立ち、レンズ駆動部１２と協働して撮像レンズ１１の焦点調節制御（ＡＦ）を行う。
【００５０】
また、静止画撮影モードで動作中にレリーズボタンが全押しされると、制御部２０は、不図示の測光部が算出した評価値に基づき撮影条件（絞り値、シャッター速度、ストロボ発光の有無など）を決定する。そして、制御部２０は、決定した撮影条件の下でレンズ駆動部１２、アナログ信号処理部１４およびＴＧ１５を駆動して本撮影を実施する。このとき、撮像素子１３はフレームモード（全画素読み出しモード）で駆動され、撮影された静止画像（本撮影画像）の画像データがアナログ信号処理部１４を介してバッファメモリ１６へ記録される。この後、制御部２０は、画像処理部１７を駆動して、バッファメモリ１６に記録された本撮影画像の画像データに対し画像処理を施す。また、制御部２０は、表示制御部１８を駆動して、画像処理後の本撮影画像を表示部１９に表示させる。そして、制御部２０は、圧縮／復号部２１を駆動して、画像処理後の本撮影画像の画像データに対し圧縮処理を施すと共に、圧縮処理後の本撮影画像の画像データを記録Ｉ／Ｆ２２を介して記録媒体２３へ記録する。なお、制御部２０は、デジタルカメラが非圧縮記録モードに設定された場合には、圧縮／復号部２１を駆動することなく、画像処理後の本撮影画像の画像データを非圧縮のまま記録Ｉ／Ｆ２２を介して記録媒体２３へ記録する。
【００５１】
また、画像再生ボタンが押下されると、制御部２０は、記録Ｉ／Ｆ２２を介して、記録媒体２３に記録された静止画像や動画像の画像データを再生画像の画像データとしてバッファメモリ１６へ読み出す。その後、制御部２０は、必要に応じて圧縮／復号部２１を駆動して、そのバッファメモリ１６の画像データに復号処理を施す。また、制御部２０は、必要に応じて画像処理部１７を駆動し、バッファメモリ１６の画像データに対して必要な画像処理を施す。そして、制御部２０は、表示制御部１８を駆動して、バッファメモリ１６の画像データを表示部１９に表示させる。
【００５２】
以下、デジタルカメラが行う情報表示の動作を、図２の流れ図を参照して説明する。図２は、例えば、デジタルカメラが静止画撮影モードに設定された場合などに実行されるフローチャートであり、当該モードで撮影されるスルー画像に写るオブジェクト（ここでは、被写体）の情報を表示する動作を示すものである。
【００５３】
ステップ１０１（Ｓ１０１）：制御部２０は、レンズ駆動部１２、アナログ信号処理部１４およびＴＧ１５を駆動してスルー画像の撮影を開始する。このとき、撮像素子１３はドラフトモード（間引き読み出しモード）で駆動される。
【００５４】
ステップ１０２：制御部２０は、被写体情報表示モードが有効（ＯＮ）に設定されているか否かを判定する。なお、被写体情報表示モードの有効（ＯＮ）／無効（ＯＦＦ）の設定は、例えば、メニューボタンの押下により表示部１９（ＬＣＤモニタなど）に表示されるメニュー画面などを介して行うことができる。
【００５５】
制御部２０は、当該モードが有効（ＯＮ）に設定されている場合は、被写体情報の表示の処理を行うためにステップ１０３へ移行する（Ｙｅｓ側）。一方、制御部２０は、そうでない場合、即ち、当該モードが無効（ＯＦＦ）に設定されている場合は、その表示の処理を行わずにステップ１１１へ移行する（Ｎｏ側）。
【００５６】
ステップ１０３：制御部２０は、バッファメモリ１６に記録されたスルー画像（１フレーム分）から被写体（特に、顔の領域）を検出する。なお、被写体（特に、顔の領域）の検出は、例えば、特開２００１−３０９２２５号公報や特開２００６−１５５０９６号公報などで開示されるパターンマッチング手法等の従来技術を利用して行える。
【００５７】
ステップ１０４：制御部２０は、スルー画像から被写体の顔領域を検出できたか否かによって処理を分岐する。即ち、制御部２０は、被写体の顔領域を検出できた場合にはステップ１０５へ移行し（Ｙｅｓ側）、検出できなかった場合にはステップ１１１へ移行する（Ｎｏ側）。
【００５８】
ステップ１０５：制御部２０は、検出した顔により被写体を認証する。具体的には、例えば、検出した顔領域のデータとデジタルカメラに予め登録されている顔のデータとが一致するか、或いは、一致すると見做せるかを調べることなどによって被写体の認証を行う。なお、認証には、例えば、上記の特開２００６−１５５０９６号公報などで開示される従来技術を利用することができる。
【００５９】
ステップ１０６：制御部２０は、スルー画像から検出した顔がデジタルカメラに登録されているものであるか、即ち、被写体の認証結果がＯＫであるか否かを判定する。
【００６０】
制御部２０は、認証結果がＯＫである場合にはステップ１０７へ移行し（Ｙｅｓ側）、一方、そうでない場合はステップ１０９へ移行する（Ｎｏ側）。
【００６１】
ステップ１０７：制御部２０は、認証された被写体、即ち、デジタルカメラで特定の被写体であると認識された被写体について、デジタルカメラに予め登録されている、例えば、被写体の名前や名称（文字列）などの被写体情報を取得する。なお、被写体情報は、ユーザーがスルー画像中での被写体の識別や特定を容易に行えるようにするために使用される情報である。
【００６２】
ステップ１０８：制御部２０は、画像処理部１７を駆動して、バッファメモリ１６のスルー画像に対し、ホワイトバランス調整やガンマ補正、解像度変換（画素数変換）などの必要な画像処理を施す。
【００６３】
そして、制御部２０は、被写体の検出を示す検出枠と上記で取得した被写体情報とを、バッファメモリ１６のスルー画像中の認証された被写体の顔部分に重畳させる。この重畳後のスルー画像のイメージを図３に示す。なお、図３の例では、被写体情報として、「花子」という被写体の名前（文字列）が重畳されている。
【００６４】
その後、制御部２０は、ステップ１１０へ移行する。
【００６５】
ステップ１０９：制御部２０は、画像処理部１７を駆動して、バッファメモリ１６のスルー画像に対し、ホワイトバランス調整やガンマ補正、解像度変換（画素数変換）などの必要な画像処理を施す。
【００６６】
そして、制御部２０は、検出枠を、バッファメモリ１６のスルー画像中の認証された被写体の顔部分に重畳させる。
【００６７】
ステップ１１０：制御部２０は、スルー画像から検出された全ての被写体について、顔による認証（顔認証）が済んだか否かを判定する。
【００６８】
制御部２０は、全ての被写体について顔認証が済んだ場合にはステップ１１１へ移行し（Ｙｅｓ側）、一方、済んでいない場合にはステップ１０５へ移行して顔認証の処理を繰り返す（Ｎｏ側）。
【００６９】
ステップ１１１：制御部２０は、表示制御部１８を駆動して、バッファメモリ１６のスルー画像（１フレーム分）を表示部１９に表示させる。但し、ステップ１０２又は１０４での判定処理によって本ステップに移行した場合には、制御部２０は、その表示の前処理として、表示制御部１８を駆動する前に、画像処理部１７を駆動して、バッファメモリ１６のスルー画像に対し、ホワイトバランス調整やガンマ補正、解像度変換（画素数変換）などの必要な画像処理を施すものとする。
【００７０】
ステップ１１２：制御部２０は、静止画撮影モードの終了が指示されたか否かを判定する。なお、その終了の指示は、デジタルカメラが静止画撮影モード以外のモードに設定されることなどによって行われる。
【００７１】
制御部２０は、静止画撮影モードの終了が指示された場合には、ステップ１１３へ移行する（Ｙｅｓ側）。一方、制御部２０は、終了が指示されていない場合には、ステップ１０２へ移行して上記の処理を繰り返す（Ｎｏ側）。
【００７２】
ステップ１１３：制御部２０は、レンズ駆動部１２、アナログ信号処理部１４およびＴＧ１５の駆動を停止して、スルー画像の撮影を終了する。
【００７３】
なお、スルー画像から２つの被写体が認識される場合のライブビュー表示のイメージを図４に示す。図４の例では、「太郎」という名前の被写体と「花子」という名前の被写体とが認識され、それらの被写体が被写界画面内で移動する様子を、（ａ）、（ｂ）、（ｃ）の画面表示イメージによって時系列順に示している。図４から分かるように、被写体が移動すると、それに追従して、検出枠及び被写体情報もそのまま被写体と一緒に移動する。このため、被写体が移動する場合にも、その被写界画面内での存在位置を容易に把握することができる。
【００７４】
（第１実施形態の補足事項）
なお、上記のステップ１０５での顔認証は、スルー画像から検出された全ての顔に対して行うように説明した。しかし、前周期の処理で既に顔認証が済んでいる被写体、つまり、デジタルカメラで既に認識されている被写体については、その顔認証の処理を行わないようにしてもよい。その場合、ステップ１０５では、前周期の顔認証の際に不図示のメモリ等に記録しておいた認証結果を今周期の処理において取得するようにし、そして、その取得した前周期の認証結果を、ステップ１０６での認証結果の判定に用いるようにする。そうすれば、顔認証に要する処理負荷を軽減することができる。
【００７５】
また、上記では、顔認証での認証結果がＯＫでない場合、つまり、デジタルカメラが被写体を認識できない場合は、被写体の顔部分には検出枠のみが重畳表示されるように説明した。しかし、認識できない被写体については、被写体情報をユーザーに入力させるようにしてもよい。
【００７６】
例えば、デジタルカメラの表示部１９がタッチパネルの機能を備えたタッチスクリーンＬＣＤであるとすれば、その画面上で、被写体の顔部分に表示された検出枠の部分にユーザーが触れた場合に、図５に示すように、被写体情報として「？？？」との記号を表示するようにする。また、それと同時に、入力可能な被写体情報の候補をプルダウンメニュー形式で表示するようにする。なお、図５の例では、ユーザーに選択させるプルダウンメニューの項目、即ち、入力可能な被写体情報の候補として、「男の子１」、「犬」、「車」など、７種類の情報が表示されている。
【００７７】
そして、被写体情報として「男の子１」を入力したい場合、ユーザーは、画面上で、表示されたプルダウンメニュー項目の「男の子１」の部分に触れるようにする。このようにしてユーザーに入力させた「男の子１」という被写体情報を、検出枠と共に、被写体の顔部分に表示するようにすればよい。そうすれば、デジタルカメラが認識できない被写体についても、ユーザーは、画面上で、他の被写体との識別や特定を行えるようになる。
【００７８】
また、上記では、被写体情報（オブジェクト情報）として、被写体（オブジェクト）の名前や名称のみが表示されると説明した。しかし、被写体（オブジェクト）の名前や名称と一緒に、例えば、スルー画像中での被写体（オブジェクト）の存在位置（Ｘ−Ｙ座標値など）や被写体（オブジェクト）の大きさ（被写体領域のピクセル数など）の情報を被写体情報（オブジェクト情報）として表示するようにしてもよい。
【００７９】
（第１実施形態の作用効果）
以上、第１実施形態のデジタルカメラでは、撮影されたスルー画像から被写体（特に、顔の領域）が検出され、その被写体について顔認証が行われる。そして、顔認証の結果がＯＫである場合、つまり、検出された被写体の顔がデジタルカメラに予め登録されたものである場合には、当該被写体が特定の被写体であるとデジタルカメラで認識されて、被写体に関する情報（被写体情報）が取得される。なお、被写体情報は、被写体の顔データに対応させて、デジタルカメラに予め登録された被写体の名前や名称などの情報である。
【００８０】
その後、被写体の検出を示す検出枠と、取得された被写体情報とが、スルー画像中の認証された（認証結果がＯＫであった）被写体、即ち、特定の被写体であるとデジタルカメラで認識された被写体の顔部分に重畳されて、その重畳されたスルー画像がＬＣＤモニタなどの画面に表示される。
【００８１】
また、スルー画像から複数の被写体が認証された場合には、認証された複数の被写体がそれぞれ特定の被写体であるとデジタルカメラで認識されて、それら認識された複数の被写体（特に、顔部分）のそれぞれに対し検出枠と被写体情報とが重畳されて、その重畳されたスルー画像が画面に表示される。
【００８２】
このように、認証された被写体には、検出枠と一緒に被写体の名前や名称などの被写体情報が重畳される。
【００８３】
従って、第１実施形態のデジタルカメラでは、予め定められた特定の被写体のうちのどの被写体が認識されたのか、つまり、デジタルカメラが何を認識したのかという被写体認識動作の状況を、画面の表示内容から確実に把握することができる。
【００８４】
（第２実施形態）
以下、本発明の第２実施形態を説明する。第２実施形態も、デジタルカメラの実施形態である。なお、以下の説明では、第１実施形態と共通するデジタルカメラの構成要素については同一符号を付して重複説明を省略する。
【００８５】
以下、デジタルカメラが行う情報表示の動作を、図６の流れ図を参照して説明する。図６は、例えば、デジタルカメラが静止画撮影モードに設定された場合などに実行されるフローチャートであり、当該モードで撮影されるスルー画像に対して行われる画像処理（例えば、逆光補正や赤目補正など）の情報を表示する動作を示すものである。
【００８６】
ステップ２０１（Ｓ２０１）：制御部２０は、レンズ駆動部１２、アナログ信号処理部１４およびＴＧ１５を駆動してスルー画像の撮影を開始する。このとき、撮像素子１３はドラフトモード（間引き読み出しモード）で駆動される。
【００８７】
ステップ２０２：制御部２０は、画像処理情報表示モードが有効（ＯＮ）に設定されているか否かを判定する。なお、画像処理情報表示モードの有効（ＯＮ）／無効（ＯＦＦ）の設定は、例えば、メニューボタンの押下により表示部１９（ＬＣＤモニタなど）に表示されるメニュー画面などを介して行うことができる。
【００８８】
制御部２０は、当該モードが有効（ＯＮ）に設定されている場合は、画像処理情報の表示に係る処理を行うためにステップ２０３へ移行する（Ｙｅｓ側）。一方、制御部２０は、そうでない場合、即ち、当該モードが無効（ＯＦＦ）に設定されている場合は、その表示に係る処理を行わずにステップ２０８へ移行する（Ｎｏ側）。
【００８９】
ステップ２０３：制御部２０は、画像自動補正モードが有効（ＯＮ）に設定されているか否かを判定する。なお、画像自動補正モードの有効（ＯＮ）／無効（ＯＦＦ）の設定は、メニューボタンの押下により表示部１９（ＬＣＤモニタなど）に表示されるメニュー画面などを介して行うことができる。
【００９０】
制御部２０は、当該モードが有効（ＯＮ）に設定されている場合は、スルー画像の自動補正に係る処理を行うためにステップ２０４へ移行する（Ｙｅｓ側）。一方、制御部２０は、そうでない場合、即ち、当該モードが無効（ＯＦＦ）に設定されている場合は、その自動補正に係る処理を行わずにステップ２０８へ移行する（Ｎｏ側）。
【００９１】
ステップ２０４：制御部２０は、バッファメモリ１６のスルー画像（１フレーム分）を解析して、当該スルー画像に対し自動補正として実行すべき画像処理の内容（例えば、逆光補正や赤目補正など）を決定する。
【００９２】
ステップ２０５：制御部２０は、ステップ２０４での処理の結果を基に、自動補正として行うべき画像処理が有るか否かを判定する。
【００９３】
制御部２０は、行うべき画像処理が有る場合にはステップ２０６へ移行し（Ｙｅｓ側）、一方、行うべき画像処理が無い場合はステップ２０８へ移行する（Ｎｏ側）。
【００９４】
ステップ２０６：制御部２０は、画像処理部１７を駆動して、バッファメモリ１６のスルー画像に対し上記で決定した内容の画像処理を実行する。このとき、バッファメモリ１６のスルー画像には、ホワイトバランス調整やガンマ補正、解像度変換（画素数変換）など、その他の必要な画像処理が併せて施される。
【００９５】
ステップ２０７：制御部２０は、表示制御部１８を駆動して、画像処理情報、つまり、上記で自動補正として実行した画像処理の内容を示す情報を、画像処理後のバッファメモリ１６のスルー画像（１フレーム分）と共に表示部１９に表示させる。なお、画像処理情報は、所定の時間（数秒）が過ぎるまで表示部１９の画面に表示され続ける。
【００９６】
ここで、スルー画像に対し逆光補正が実行される場合のライブビュー表示のイメージを図７に示す。例えば、図７の（ａ）に示すように、撮影されたスルー画像に写った被写体の顔部分が逆光のために暗くなっている場合、画像自動補正モードが「ＯＮ」に設定されていれば、デジタルカメラではスルー画像に対して逆光補正が自動的に実行される。そして、図７の（ｂ）、（ｃ）、（ｄ）の画面表示イメージによって時系列順に示すように、画像処理情報、即ち、自動補正として実行された画像処理の内容を示す情報が画面に表示される。図７の例では、画像処理情報として「逆光の補正をしました」というメッセージ（文字列）が、画面上に、その右側から左側の方向へ流れるように表示される。
【００９７】
このため、ユーザーは、撮影するときに、デジタルカメラがどのようなモードに設定されているのかがよく分からない場合であっても、その表示により、デジタルカメラでどのような画像処理が画像に対して自動的に行われたかということを容易に理解することができる。特に、ユーザーがカメラに詳しくない場合には、このような表示が有効である。
【００９８】
制御部２０は、スルー画像（１フレーム分）及び画像処理情報が表示部１９に表示されると、ステップ２０９へ移行する。
【００９９】
ステップ２０８：制御部２０は、画像処理部１７を駆動して、バッファメモリ１６のスルー画像に対し、ホワイトバランス調整やガンマ補正、解像度変換（画素数変換）などの必要な画像処理を施す。
【０１００】
そして、制御部２０は、表示制御部１８を駆動して、バッファメモリ１６のスルー画像（１フレーム分）を表示部１９に表示させる。
【０１０１】
ステップ２０９：制御部２０は、静止画撮影モードの終了が指示されたか否かを判定する。なお、その終了の指示は、デジタルカメラが静止画撮影モード以外のモードに設定されることなどによって行われる。
【０１０２】
制御部２０は、静止画撮影モードの終了が指示された場合には、ステップ２１０へ移行する（Ｙｅｓ側）。一方、制御部２０は、終了が指示されていない場合には、ステップ２０２へ移行して上記の処理を繰り返す（Ｎｏ側）。
【０１０３】
ステップ２１０：制御部２０は、レンズ駆動部１２、アナログ信号処理部１４およびＴＧ１５の駆動を停止して、スルー画像の撮影を終了する。
【０１０４】
（第２実施形態の補足事項）
なお、上記では、自動補正として逆光補正などの画像処理が行われた場合には、その行われた画像処理の内容を示す情報、即ち、画像処理情報が、その画像処理後のスルー画像と共に画面に表示されることを説明した。しかし、その表示の際には、例えば図８に示すように、さらに、逆光補正などの画像処理を実行する前のスルー画像と、それを実行した後のスルー画像とを、画面に一緒に表示するようにしてもよい。そうすれば、ユーザーは、画像処理実行後のスルー画像のみを表示する場合と比べて、逆光補正などの画像処理の効果をはっきりと理解することができるようになる。
【０１０５】
また、上記では、画像処理情報の一例として、「逆光の補正をしました」というメッセージ（文字列）が表示されることを説明した。しかし、その「メッセージ」（文字列）以外に、例えば、行われた画像処理の内容を示した「ロゴマーク」や「イラスト」、「アイコン」などの画像を画像処理情報として表示するようにしてもよい。なお、メッセージ及びそれらの画像は、それぞれを単独で表示してもよいが、それらの２つ以上を組み合わせて表示するようにしてもよい。さらに、それらの表示と共に、行われた画像処理の内容を、デジタルカメラのスピーカー（不図示）などを介して「音声」で通知するようにしてもよい。そうすれば、デジタルカメラが行う画像処理動作の状況をユーザーが把握し易くなる。
【０１０６】
（第２実施形態の作用効果）
以上、第２実施形態のデジタルカメラでは、スルー画像を解析して、スルー画像に対し自動補正として実行すべき画像処理の内容（例えば、逆光補正や赤目補正など）が決定される。
【０１０７】
そして、決定された結果から自動補正として行うべき画像処理が有ると判定された場合には、決定された内容の画像処理がスルー画像に対して実行される。
【０１０８】
その後、実行された画像処理の内容を示す情報、即ち、画像処理情報が、画像処理後のスルー画像（１フレーム分）と共にＬＣＤモニタなどの画面に表示される。
【０１０９】
従って、第２実施形態のデジタルカメラでは、「逆光補正などの画像処理が自動的に実行された」というような画像処理動作の状況を、画面の表示内容から確実に把握することができる。
【０１１０】
（第３実施形態）
以下、本発明の第３実施形態を説明する。この第３実施形態も、デジタルカメラの実施形態である。なお、以下の説明では、第１実施形態と共通するデジタルカメラの構成要素については同一符号を付して重複説明を省略する。
【０１１１】
以下、デジタルカメラが行う情報表示の動作を、図９の流れ図を参照して説明する。図９は、例えば、デジタルカメラが静止画撮影モードに設定された場合などに実行されるフローチャートであり、当該モードで撮影されるスルー画像に写るオブジェクト（ここでは、被写体）の追尾情報を表示する動作を示すものである。
【０１１２】
ステップ３０１（３０１）：制御部２０は、レンズ駆動部１２、アナログ信号処理部１４およびＴＧ１５を駆動してスルー画像の撮影を開始する。このとき、撮像素子１３はドラフトモード（間引き読み出しモード）で駆動される。
【０１１３】
ステップ３０２：制御部２０は、追尾情報表示モードが有効（ＯＮ）に設定されているか否かを判定する。なお、追尾情報表示モードの有効（ＯＮ）／無効（ＯＦＦ）の設定は、例えば、メニューボタンの押下により表示部１９（ＬＣＤモニタなど）に表示されるメニュー画面などを介して行うことができる。
【０１１４】
制御部２０は、当該モードが有効（ＯＮ）に設定されている場合は、追尾情報の表示の処理を行うためにステップ３０４へ移行する（Ｙｅｓ側）。一方、制御部２０は、そうでない場合、即ち、当該モードが無効（ＯＦＦ）に設定されている場合は、その表示の処理を行わずにステップ３０３へ移行する（Ｎｏ側）。
【０１１５】
ステップ３０３：制御部２０は、画像処理部１７を駆動して、バッファメモリ１６に記録されたスルー画像に対し、ホワイトバランス調整やガンマ補正、解像度変換（画素数変換）などの必要な画像処理を施す。
【０１１６】
そして、制御部２０は、表示制御部１８を駆動して、バッファメモリ１６のスルー画像（１フレーム分）を表示部１９に表示させる。
【０１１７】
この後、スルー画像が表示部１９に表示されると、制御部２０は、ステップ３１２へ移行する。
【０１１８】
ステップ３０４：制御部２０は、撮影されたスルー画像中において、追尾を行う被写体、即ち、追尾対象がユーザーによって指定されているか否かを判定する。
【０１１９】
制御部２０は、追尾対象が既に指定されている場合はステップ３０６へ移行し（Ｙｅｓ側）、一方、指定されていない場合はステップ３０５へ移行する（Ｎｏ側）。
【０１２０】
ステップ３０５：制御部２０は、追尾対象（被写体）をユーザーに指定させる。なお、その指定は、次に示すような方法によってユーザーに行わせるとよい。
【０１２１】
例えば、撮影されたスルー画像から被写体を検出して、検出した全ての被写体（特に、顔の部分）にそれぞれ追尾枠を重畳させて画面に表示する。そして、デジタルカメラの表示部１９がタッチパネルの機能を備えたタッチスクリーンＬＣＤであるとすれば、その画面上で、表示された追尾枠の部分にユーザーが触れた場合に、当該追尾枠に対応する被写体を追尾対象として認識するようにする。なお、指定の完了時には、追尾対象として認識した被写体の追尾枠はそのまま表示され続けるが、それ以外の被写体の追尾枠については消去されて表示されなくなる。
【０１２２】
また、別の方法としては、例えば、デジタルカメラの表示部１９がタッチスクリーンＬＣＤであるとすれば、その画面上で、表示された被写体の部分にユーザーが触れた場合に、その触れた部分に対応したスルー画像の領域から被写体を検出する。そして、検出した被写体を追尾対象として認識すると共に、その被写体（特に、顔の部分）に追尾枠を重畳させて画面に表示するようにする。
【０１２３】
このような方法により、ユーザーに追尾対象（被写体）を指定させるようにするとよい。なお、追尾対象（被写体）は、複数指定できるものとする。
【０１２４】
ここで、追尾対象（被写体）が指定されたときに表示される画面のイメージを図１０に示す。図１０の例は、ユーザーが、２つの被写体の片方を追尾対象として指定した場合のイメージである。この例では、追尾対象として指定された被写体（特に、顔の部分）に追尾枠が重畳表示されている。また、その追尾枠の上側部分に追尾ラベルとして「追尾＃Ａ」との情報（文字列）が表示されている。つまり、本実施形態では、追尾枠と追尾ラベルが追尾情報として表示される。なお、追尾ラベルは、画面において、ユーザーが追尾対象の識別や特定を容易に行えるようにするための情報として表示されるものである。この追尾ラベルは、デジタルカメラが自動的に付与した情報（例えば、シリアルナンバーなど）でもよく、ユーザーに入力させた情報（例えば、被写体の名前や名称など）であってもよい。
【０１２５】
制御部２０は、追尾対象（被写体）をユーザーに指定させ終えるとステップ３０８へ移行する。
【０１２６】
ステップ３０６：制御部２０は、バッファメモリ１６に記録されたスルー画像（１フレーム分）から被写体（特に、顔の領域）を検出する。なお、被写体（特に、顔の領域）の検出は、例えば、特開２００１−３０９２２５号公報や特開２００６−１５５０９６号公報などで開示されるパターンマッチング手法等の従来技術を利用して行える。そして、制御部２０は、検出した被写体から、ユーザーによって既に指定されている追尾対象（被写体）を特定する。このようにして、制御部２０は、スルー画像から追尾対象（被写体）を検出する。
【０１２７】
ステップ３０７：制御部２０は、スルー画像から検出できない追尾対象（被写体）が有るか、即ち、被写界画面から外れた追尾対象（被写体）が有るか否かを判定する。
【０１２８】
制御部２０は、被写界画面から外れた追尾対象が有る場合はステップ３０９へ移行し（Ｙｅｓ側）、一方、そうでない場合はステップ３０８へ移行する（Ｎｏ側）。
【０１２９】
ステップ３０８：制御部２０は、画像処理部１７を駆動して、バッファメモリ１６に記録されたスルー画像に対し、ホワイトバランス調整やガンマ補正、解像度変換（画素数変換）などの必要な画像処理を施す。
【０１３０】
また、この画像処理の後、制御部２０は、バッファメモリ１６のスルー画像中の追尾対象（被写体）に、追尾枠と追尾対象の識別のための情報（追尾ラベル）とを重畳させる。ここでは、特に、追尾対象（被写体）の顔部分に追尾枠と追尾ラベルとを重畳させる。
【０１３１】
そして、制御部２０は、表示制御部１８を駆動して、バッファメモリ１６のスルー画像（１フレーム分）を表示部１９に表示させる。
【０１３２】
スルー画像が表示部１９に表示されると、制御部２０は、ステップ３１２へ移行する。
【０１３３】
ステップ３０９：制御部２０は、被写界画面内に、そこから外れたもの以外の別の追尾対象（被写体）が存在するか否かを判定する。
【０１３４】
そして、制御部２０は、被写界画面内に別の追尾対象（被写体）が存在する場合はステップ３１１へ移行し（Ｙｅｓ側）、一方、存在しない場合はステップ３１０へ移行する（Ｎｏ側）。
【０１３５】
ステップ３１０：制御部２０は、画像処理部１７を駆動して、バッファメモリ１６に記録されたスルー画像に対し、ホワイトバランス調整やガンマ補正、解像度変換（画素数変換）などの必要な画像処理を施す。
【０１３６】
そして、この画像処理の後、制御部２０は、表示制御部１８を駆動して、バッファメモリ１６のスルー画像（１フレーム分）と共に、追尾対象（被写体）が被写界画面から外れたことを示す情報（メッセージ）を表示部１９に表示させる。
【０１３７】
なお、追尾対象（被写体）が被写界画面から外れたことを示す情報（メッセージ）は、所定の時間（数秒）が過ぎるまで表示部１９の画面に表示され続ける。
【０１３８】
制御部２０は、スルー画像及びメッセージが表示部１９に表示されると、ステップ３１２へ移行する。
【０１３９】
ステップ３１１：制御部２０は、画像処理部１７を駆動して、バッファメモリ１６に記録されたスルー画像に対し、ホワイトバランス調整やガンマ補正、解像度変換（画素数変換）などの必要な画像処理を施す。
【０１４０】
また、この画像処理の後、制御部２０は、バッファメモリ１６のスルー画像中の追尾対象（被写体）に、追尾枠と追尾対象の識別のための情報（追尾ラベル）とを重畳させる。ここでは、特に、追尾対象（被写体）の顔部分に追尾枠と追尾ラベルとを重畳させる。
【０１４１】
そして、制御部２０は、表示制御部１８を駆動して、バッファメモリ１６のスルー画像（１フレーム分）と共に、追尾対象（被写体）が被写界画面から外れたことを示す情報（メッセージ）を表示部１９に表示させる。
【０１４２】
なお、追尾対象（被写体）が被写界画面から外れたことを示す情報（メッセージ）は、所定の時間（数秒）が過ぎるまで表示部１９の画面に表示され続ける。
【０１４３】
制御部２０は、スルー画像及びメッセージが表示部１９に表示されると、ステップ３１２へ移行する。
【０１４４】
ステップ３１２：制御部２０は、静止画撮影モードの終了が指示されたか否かを判定する。なお、その終了の指示は、デジタルカメラが静止画撮影モード以外のモードに設定されることなどによって行われる。
【０１４５】
制御部２０は、静止画撮影モードの終了が指示された場合には、ステップ３１３へ移行する（Ｙｅｓ側）。一方、制御部２０は、終了が指示されていない場合には、ステップ３０２へ移行して上記の処理を繰り返す（Ｎｏ側）。
【０１４６】
ステップ３１３：制御部２０は、レンズ駆動部１２、アナログ信号処理部１４およびＴＧ１５の駆動を停止して、スルー画像の撮影を終了する。
【０１４７】
なお、被写界画面内の２つの被写体が追尾対象として指定された場合のライブビュー表示のイメージを図１１に示す。図１１の例では、片方の追尾対象（被写体）には「追尾＃１」という情報（文字列）が追尾ラベルとして表示され、もう片方の追尾対象（被写体）には「追尾＃２」という情報（文字列）が追尾ラベルとして表示されている。また、図１１の例では、それらの被写体が被写界画面において移動する様子を、（ａ）、（ｂ）、（ｃ）、（ｄ）の画面表示イメージによって時系列順に示している。
【０１４８】
図１１から分かるように、追尾対象（被写体）が移動すると、それに追従して、追尾枠及び追尾ラベルもそのまま追尾対象（被写体）と一緒に移動する。このため、追尾対象（被写体）がどのように移動しても、ユーザーは、被写界画面での追尾対象（被写体）の存在位置を容易に把握することができる。
【０１４９】
また、図１１の（ｃ）、（ｄ）から分かるように、追尾対象（被写体）が被写界画面から外れた場合には、その外れたことを示す情報がユーザーへのメッセージとして画面に表示される。なお、図１１の（ｃ）、（ｄ）の例では、「追尾対象１が画面から外れました」という情報（文字列）がメッセージとして表示されている。このため、追尾対象（被写体）が被写界画面から外れてしまった場合にも、ユーザーは、その外れてしまったこと、及び、外れたのはどの追尾対象（被写体）なのかということを容易に把握することができる。
【０１５０】
（第３実施形態の作用効果）
以上、第３実施形態のデジタルカメラでは、スルー画像に写ったオブジェクト（被写体）のうちユーザーによって指定されたものが追尾対象（被写体）として認識される。そして、そのユーザーによって指定された追尾対象（被写体）に対し、追尾枠と追尾ラベルとが重畳されて、その重畳されたスルー画像がＬＣＤモニタなどの画面に表示される。
【０１５１】
なお、追尾ラベルは、ユーザーによって与えられる被写体の名前や名称などの情報、或いはデジタルカメラによって与えられるシリアルナンバーなどの情報である。
【０１５２】
また、ユーザーによって、スルー画像から複数のオブジェクト（被写体）が追尾対象（被写体）として指定された場合には、その指定により認識された複数の追尾対象（被写体）のそれぞれに対し追尾枠と追尾ラベルとが重畳されて、その重畳されたスルー画像が画面に表示される。
【０１５３】
このように、ユーザーの指定によってデジタルカメラで認識された追尾対象（被写体）には、追尾枠と追尾ラベルとの追尾情報が重畳される。
【０１５４】
従って、第３実施形態のデジタルカメラでは、被写界画面内に被写体が複数存在する場合にも、ユーザーが指定した追尾対象について、デジタルカメラが行う追尾動作の状況を、画面の表示内容から確実に把握することができる。
【０１５５】
（その他）
なお、上記では、オブジェクト（被写体）が「人」であるものとしてデジタルカメラの動作を説明した。しかし、オブジェクト（被写体）は、それ以外の、例えば、動物（犬、猫など）や乗り物（車、飛行機など）などであってもよい。
【０１５６】
また、上記では、検出枠および追尾枠の形状が四角形であるものとして説明したが、丸形や三角形、楕円形、或いは星形など、オブジェクトがデジタルカメラで認識されたことをユーザーが把握し易い形状であれば、どのような形状であってもよい。
【０１５７】
また、上述した検出枠および追尾枠は、それが重畳されるべきオブジェクト（被写体）が複数存在する場合には、オブジェクト（被写体）毎に、形状が異なるもの（枠）を重畳させて表示するようにしてもよい。例えば、オブジェクト（被写体）＃Ａには三角形の枠、オブジェクト（被写体）＃Ｂには、楕円形の枠を重畳させて表示するようにする。そうすれば、各オブジェクトを識別し易くなるので、全てのオブジェクトに同じ形状の枠を重畳させて表示する場合と比べて、ユーザーはデジタルカメラが行う動作の状況を確実に把握できるようになる。
【０１５８】
また、第２実施形態の画像処理情報の表示処理は、第１実施形態および第３実施形態にも適用することができる。
【０１５９】
また、第３実施形態において、追尾対象（被写体）が被写界画面から外れたときに、カメラが画面に表示する情報（メッセージ）は、第１実施形態において、被写体が連続して撮影されるスルー画像の画枠から外れた場合にも、同様に表示するようにしてよい。
【０１６０】
また、上記では、スルー画像によるライブビュー表示において、被写体情報、画像処理情報、追尾情報を表示するように説明した。しかし、それらの情報は、動画撮影時や動画再生時にも表示することができる。即ち、第１〜第３実施形態で説明した処理は、動画撮影や動画再生に係る処理にも適用することができる。
【０１６１】
なお、動画撮影においては、動画ファイルの付加情報領域などに、以下の情報をメタデータとして記録するようにしてもよい。
●オブジェクト認識動作において、動画像の各フレームから認識されたオブジェクト（被写体）に関するオブジェクト情報、つまり、オブジェクトの名前や名称，フレーム中のオブジェクトの存在位置（例えば、Ｘ−Ｙ座標値），オブジェクトの大きさ（例えば、被写体領域のピクセル数）などの情報。また、認識されなかったオブジェクトについても、フレーム中のオブジェクトの存在位置（例えば、Ｘ−Ｙ座標値），オブジェクトの大きさ（例えば、被写体領域のピクセル数），ユーザーが入力したオブジェクトの名前や名称などの情報を記録するようにしてもよい。
●画像処理動作での画像処理情報、つまり、動画像に対して自動的に実行された画像処理の内容。
●オブジェクトの追尾動作において、動画像の各フレームから追尾対象として認識されたオブジェクト（被写体）に関する追尾情報、つまり、追尾対象のオブジェクトに対して与えられた追尾ラベル，フレーム中のオブジェクトの存在位置（例えば、Ｘ−Ｙ座標値）などの情報。
【０１６２】
そうすれば、他の装置においても、動画再生時などに、動画ファイルに記録されたそのメタデータを使用することで、本発明と同様に装置の動作の状況を表示することができるようになる。
【０１６３】
また、上述したデジタルカメラの動作に係るプログラムは、その一部または全部をコンピュータなどの外部処理装置に実行させてもよい。その場合、必要なプログラムがＣＤ−ＲＯＭ等のコンピュータ読み取り可能な記憶媒体やインターネット等の通信網などを介して外部処理装置へインストールされる。
【０１６４】
また、上記ではデジタルカメラの実施例を説明したが、本発明の画像再生装置は、画像を再生して表示することが可能な他の機器、例えば、携帯電話機やデジタルビデオカメラなどにも適用することが可能である。
【符号の説明】
【０１６５】
１１…撮像レンズ，１２…レンズ駆動部，１３…撮像素子，１４…アナログ信号処理部，１５…タイミングジェネレータ（ＴＧ），１６…バッファメモリ，１７…画像処理部，１８…表示制御部，１９…表示部，２０…制御部，２１…圧縮／復号部，２２…記録インターフェース（記録Ｉ／Ｆ），２３…記録媒体，２４…操作部，２５…バス
【図１】
2010183253.tif 000003
【図２】
2010183253.tif 000004
【図３】
2010183253.tif 000005
【図４】
2010183253.tif 000006
【図５】
2010183253.tif 000007
【図６】
2010183253.tif 000008
【図７】
2010183253.tif 000009
【図８】
2010183253.tif 000010
【図９】
2010183253.tif 000011
【図１０】
2010183253.tif 000012
【図１１】
2010183253.tif 000013